(57)【要約】【課題】大型レンズを支持するためのレンズマウント板を容易に着脱することができるので、それぞれの大型レンズに対応したレンズマウント板に交換するだけでポータブルカメラをスタジオカメラに簡単にビルドアップすることが可能な放送用カメラのビルドアップ装置を提供する。  【解決手段】レンズ取付部が、大型レンズが取り付けられる面とは反対側の面にベース部のフックに係合されるフックを備え、尚且つベース部に設けたパチン錠本体と対応する位置にそれぞれパチン錠受け部を備えるレンズ取付部であり、該レンズ取付部をベース部に取り付ける際に、該レンズ取付部のフックをベース部のフックに係合させた後、ベース部のパチン錠本体のアームをレンズ取付部のパチン錠受け部にそれぞれ引っ掛けパチン錠本体のレバーを倒すことによりレンズ取付部がベース部に固定される。【選択図】  図３
2008261934.tif 000002
【特許請求の範囲】
【請求項１】
ベース部と、該ベース部に取り付けられ、カメラの位置調整を行う位置調整機構を備え、該位置調整機構に取付プレートを介してポータブルカメラのカメラ本体が固定されるカメラ支持部と、該ポータブルカメラの仕様とは異なる大型レンズが取り付けられるレンズ取付部とを備えた放送用カメラのビルドアップ装置であって、
前記レンズ取付部が、前記ベース部に着脱可能に取り付けられたレンズ取付部であることを特徴とする放送用カメラのビルドアップ装置。
【請求項２】
請求項１記載の放送用カメラのビルドアップ装置であって、
前記レンズ取付部が、前記ベース部に工具を使用せずに着脱することが可能なレンズ取付部であることを特徴とする放送用カメラのビルドアップ装置。
【請求項３】
請求項２記載の放送用カメラのビルドアップ装置であって、
前記レンズ取付部が、前記大型レンズが取り付けられる面とは反対側の面に前記ベース部のフックに係合されるフックを備え、尚且つ前記ベース部に設けたパチン錠本体と対応する位置にそれぞれパチン錠受け部を備えるレンズ取付部であり、該レンズ取付部を前記ベース部に取り付ける際に、該レンズ取付部のフックを前記ベース部のフックに係合させた後、前記ベース部の前記パチン錠本体のアームを前記レンズ取付部のパチン錠受け部にそれぞれ引っ掛けパチン錠本体のレバーを倒すことにより前記レンズ取付部が前記ベース部に固定されることを特徴とする放送用カメラのビルドアップ装置。
【発明の詳細な説明】
【技術分野】
【０００１】
本発明は、放送用のポータブルカメラをスタジオカメラと同等の機能で運用するための放送用カメラのビルドアップ装置に関するものである。
【背景技術】
【０００２】
周知のように、ニュース取材などで用いられるＥＮＧ（Electronic News Gathering）カメラ等の肩乗せ可能なポータブルカメラは、放送局内でスタジオカメラとして利用する場合がある。また、放送局内のスタジオ等で使用される大型カメラの大型レンズは、一般的に、ポータブルカメラのレンズと比較して光学的性能に優れており、またズーム比も大きいため、この大型レンズをポータブルカメラのカメラ本体に装着して使用することがある。
【０００３】
そこで、大型レンズのレンズ筐体と大型カメラのカメラ本体の着脱のみならず大型レンズのレンズ筐体とポータブルカメラのカメラ本体の着脱を可能にするマウント機能が単一のレンズマウント装置に備えられている必要がある。
このような場合、従来のレンズマウント装置において、ポータブルカメラのカメラ本体に大型レンズを装着するには、ハンガーマウント方式によるレンズ結合を可能にするレンズサポータが使用される。
【０００４】
例えば、特許文献１（特開２００５−１４８３３０号公報）には、レンズサポータを用いてポータブルカメラ本体に大型レンズを支持して使用する場合が示されており、三脚上にレンズサポータが固定され、レンズサポータに設けられたカメラ支持部にポータブルカメラ本体が固定され、レンズサポータに立設されたレンズ取付部のレンズ取り付け面に大型レンズが装着されている。そして、レンズサポータは、下面側に三脚等に連結するための係合部が設けられた台板と、大型レンズを着脱可能に取り付けるためのレンズ取付部とから成り、Ｔ字形状をした一体構造となっている。
また、大型レンズをレンズサポータのレンズ取付部に装着する際には、大型レンズの後端部に設けられたフックとレンズ取付部のレンズ取り付け面に設けられたフック同士を係合させて大型レンズをレンズサポートに支持し、さらにレンズ取付部に設けられたクランプ部を回動操作することにより、大型レンズのレンズ取付部への固定が為されている（例えば、特許文献１、特許文献２。）。
【０００５】
【特許文献１】特開２００５−１４８３３０号公報（図１、図３）
【特許文献２】特開平６−３１３８２８号公報（図５３〜図５５）
【発明の開示】
【発明が解決しようとする課題】
【０００６】
しかしながら、放送局内で、ポータブルカメラ本体にレンズサポータを用いて大型レンズを支持しスタジオカメラとして使用する場合に、ポータブルカメラ本体に焦点距離、ズーム比等が異なる大型レンズを交換して使用する場合がある。また、ＨＤ（High Definition）用のポータブルカメラ本体にＳＤ（Standard Definition）用の大型レンズを取り付けて使用したい場合もある。
このような場合に、大型レンズのカメラ本体への装着構造が種類毎、或いは製造メーカ毎にそれぞれ異なることがあり、大型レンズ相互に互換性がないこと、また、ＳＤ用の大型レンズとＨＤ用の大型レンズとの間にも装着構造に互換性がないことから、ポータブルカメラのカメラ本体に大型レンズを装着して使用する際、レンズサポータを共通に使用することができず、各大型レンズに対応したレンズサポータをそれぞれ製作しなければならないという問題があった。
また、ポータブルカメラも製造メーカによってカメラの形状や大きさ、また、接続コネクタの配置や大きさ等が異なることから、各社のポータブルカメラに合わせてレンズサポータを個々に製作しなければならないという問題があった。
【０００７】
本発明は、上記のような問題点を解消するためになされたものであり、大型レンズを支持するためのレンズマウント板を容易に着脱でき、それぞれの大型レンズに対応したレンズマウント板に交換するだけで簡単にポータブルカメラをスタジオカメラにビルドアップすることが可能な放送用カメラのビルドアップ装置を提供することを目的とする。
【課題を解決するための手段】
【０００８】
上述した課題を解決し、目的を達成するため、本発明の請求項１に係る放送用カメラのビルドアップ装置は、ベース部と、該ベース部に取り付けられ、カメラの位置調整を行う位置調整機構を備え、該位置調整機構に取付プレートを介してポータブルカメラのカメラ本体が固定されるカメラ支持部と、該ポータブルカメラの仕様とは異なる大型レンズが取り付けられるレンズ取付部とを備えた放送用カメラのビルドアップ装置であって、前記レンズ取付部が、前記ベース部に着脱可能に取り付けられたレンズ取付部であることを特徴とする。
また、本発明の請求項２に係る放送用カメラのビルドアップ装置は、請求項１記載の放送用カメラのビルドアップ装置であって、前記レンズ取付部が、前記ベース部に工具を使用せずに着脱することが可能なレンズ取付部であることを特徴とする。
【０００９】
また、本発明の請求項３に係る放送用カメラのビルドアップ装置は、請求項２記載の放送用カメラのビルドアップ装置であって、前記レンズ取付部が、前記大型レンズが取り付けられる面とは反対側の面に前記ベース部のフックに係合されるフックを備え、尚且つ前記ベース部に設けたパチン錠本体と対応する位置にそれぞれパチン錠受け部を備えるレンズ取付部であり、該レンズ取付部を前記ベース部に取り付ける際に、該レンズ取付部のフックを前記ベース部のフックに係合させた後、前記ベース部の前記パチン錠本体のアームを前記レンズ取付部のパチン錠受け部にそれぞれ引っ掛けパチン錠本体のレバーを倒すことにより前記レンズ取付部が前記ベース部に固定されることを特徴とする。
【発明の効果】
【００１０】
本発明によれば、大型レンズを支持するためのレンズマウント板を容易に着脱することができるので、それぞれの大型レンズに対応したレンズマウント板に交換するだけでポータブルカメラをスタジオカメラに簡単にビルドアップすることができるという効果がある。
また、ポータブルカメラの製造メーカ、或いはカメラの型式が変更になった場合でも、レンズマウント板を新たに製作するだけで、ポータブルカメラをスタジオカメラに簡単にビルドアップすることができるという効果がある。
【発明を実施するための最良の形態】
【００１１】
以下、図面を参照して本発明の第１の実施形態に係る放送用カメラのビルドアップ装置について説明する。図１は、本発明の第１の実施形態に係る放送用カメラのビルドアップ装置１を含むビルドアップシステムの斜め前方からの斜視図である。図２は、図１の放送用カメラのビルドアップシステムの斜め後方からの斜視図である。図３は、本発明の第１の実施形態に係る放送用カメラのビルドアップシステムにおいて、ビルドアップ装置１にポータブルカメラ本体２とＴＶカメラ用ビューファインダ４とＴＶカメラ用操作パネル５とを装着した状態での斜め前方からの斜視図である。図４は、図３の側面図である。図５は、図４において、レンズマウント板４０をベースユニット１０に、また、大型レンズ３をレンズマウント板４０に装着した際のそれぞれの嵌合状態を説明するための嵌合箇所の断面図を示す。図６は、図３のビルドアップ装置１において、ベースユニット１０にレンズマウント板４０を装着する前の状態を示す斜視図である。図７は、本発明の第１の実施形態に係る放送用カメラのビルドアップ装置１におけるレンズマウント板４０のベースユニット１０との装着面の詳細を示す斜視図である。図８は、本発明の第１の実施形態に係る放送用カメラのビルドアップ装置１におけるレンズマウント板４０のレンズ装着面の詳細を示す斜視図である。
【００１２】
図１、図２に示すように、本発明の第１の実施形態に係る放送用カメラのビルドアップシステムは、ビルドアップ装置１と、ポータブルカメラ本体２と、大型レンズ３と、ＴＶカメラ用ビューファインダ４と、ＴＶカメラ用操作パネル５とで構成されている。
また、図３、図４、図５、図６に示すように、ビルドアップ装置１は、下面側に雲台等に連結するための係合部を備えたベースユニット１０と、該ベースユニット１０に取り付けられ、ポータブルカメラ２を保持するとともに、ポータブルカメラ２の前後、左右及び上下方向の移動機構を備え、ポータブルカメラ２の位置調整が行われた後にベースユニット１０に固定手段（図示せず）を用いて結合されるカメラ支持台２０と、大型レンズ３を保持するとともに、大型レンズ３をベースユニット１０に固定するためのレンズマウント板４０とで構成されている。
【００１３】
そこで、本発明の第１の実施形態に係る放送用カメラのビルドアップシステムの組み立て方法について説明する。
最初に、本発明の第１の実施形態に係る放送用カメラのビルドアップ装置１において、レンズマウント板４０をベースユニット１０に取り付ける際の取り付け方法について図５〜図７を用いて説明する。
まず、レンズマウント板４０の左右方向位置決めピン４２をベースユニット１０のレンズマウント板取付用フック１１に設けた切り欠き部１２に嵌合させ左右方向の位置決めを行い、レンズマウント板４０のレンズマウント板用フック４１（左右２箇所）をベースユニット１０のレンズマウント板取付用フック１１（左右２箇所）に係合させる。
次に、レンズマウント板４０の下部に設けたコネクタ４３をベースユニット１０のコネクタ１３に嵌合させた後、ベースユニット１０の両サイドに設けたパチン錠本体１４のアーム（図示せず）をレンズマウント板４０の下部両サイドに設けた２箇所のパチン錠キーパ４４にそれぞれ係合させて、パチン錠本体１４のレバー（図示せず）を倒すことによってレンズマウント板４０がベースユニット１０に固定される。
ここで、図５に示すように、ベースユニット１０の下部にある上下位置決め用ブロック１５の面取部がレンズマウント板４０の下側凸部４５の先端の面取部と斜めに当接することから、パチン錠本体１４でレンズマウント板４０がベースユニット１０側に引っ張り込まれると同時に、レンズマウント板４０が下方に押し下げられるよう力が働くため、レンズマウント板４０の上方への浮き上がりが防止される。
【００１４】
次に、大型レンズ３をレンズマウント板４０に取り付ける際の取り付け方法について図３、図５及び図８を用いて説明する。
図５に示すように、大型レンズ３は、レンズマウント板４０のレンズ取付用フック４６に係合させるためのフック３１と大型レンズ３の左右方向の位置決めを行うための位置決めピン（図示せず）を有しており、まず、大型レンズ３の左右方向の位置決めピンをレンズマウント板４０のレンズ取付用フック４６の中央上部に設けた切り欠き部４７に嵌合させ左右方向の位置決めを行い、大型レンズ３のフック３１をレンズマウント板４０のレンズ取付用フック４６に係合させる。
次に、レンズマウント板４０の下部に設けた位置決めブロック４８の先端を水平方向に回転させた状態で、大型レンズ３をレンズマウント板４０に押し当て、位置決めブロック４８の先端を垂直方向に回転させて大型レンズ３の下側凸部３２に当てた後、先端がネジ加工された摘みネジ４９を締め付け、位置決めブロック４８の先端部で大型レンズ３を押えて固定する。
【００１５】
次に、カメラ支持台２０の前後、左右及び上下方向の移動機構を操作し、大型レンズ３に対しポータブルカメラ２の光軸調整等を行った後、別途固定手段によりカメラ支持台２０をベースユニット１０に固定することによって、ポータブルカメラ２をスタジオカメラとして放送局内で利用することができるようになる。
また、上記方法とは逆の手順によって、大型レンズ３をレンズマウント板４０から取り外したり、レンズマウント板４０をベースユニット１０から取り外したりすることができる。
【００１６】
従って、大型レンズを支持するためのレンズマウント板を容易に着脱することができるので、それぞれの大型レンズに対応したレンズマウント板に交換するだけでポータブルカメラをスタジオカメラに簡単にビルドアップすることができる。
また、ポータブルカメラの製造メーカ、或いはカメラの型式が変更になった場合でも、レンズマウント板を新たに製作するだけで、ポータブルカメラをスタジオカメラに簡単にビルドアップすることができる。
【００１７】
次に、本発明の第２の実施形態に係る放送用カメラのビルドアップシステムについて説明する。図９は、本発明の第２の実施形態に係る放送用カメラのビルドアップ装置１００を含むビルドアップシステムの斜め前方から見た斜視図である。図１０は、図９の側面図である。図１１は、図１０のビルドアップ装置１００において、レンズマウント板７０をベースユニット１０に装着した際の嵌合状態を説明するための嵌合箇所の断面図を示す。図１２は、本発明の第２の実施形態に係る放送用カメラのビルドアップ装置１００におけるレンズマウント板７０のベースユニット１０との装着面の詳細を示す斜視図である。
尚、本発明の第１の実施形態に係る放送用カメラのビルドアップシステムで使われている構成品と共通で使用するものは同じ部番で示している。
【００１８】
図９、図１０に示すように、本発明の第２の実施形態に係る放送用カメラのビルドアップシステムは、ビルドアップ装置１００と、ハンディカメラ２００と、ＴＶカメラ用ビューファインダ４と、ＴＶカメラ用操作パネル５とで構成されている。
ただし、ハンディカメラ２００は、ポータブルカメラ本体２にポータブルカメラ用のレンズが装着されたものである。
また、図６、図９、図１０に示すように、ビルドアップ装置１００は、下面側に雲台等に連結するための係合部を備えたベースユニット１０と、該ベースユニット１０に取り付けられ、ハンディカメラ２００を保持するとともに、ハンディカメラ２００の前後、左右及び上下方向の移動機構を備え、ハンディカメラ２００の位置調整が行われた後にベースユニット１０に固定手段（図示せず）を用いて結合されるカメラ支持台２０と、カメラ支持台２０をベースユニット１０に固定するためのレンズマウント板７０とで構成されている。
【００１９】
そこで、本発明の第２の実施形態に係る放送用カメラのビルドアップシステムの組み立て方法について説明する。
最初に、本発明の第２の実施形態に係る放送用カメラのビルドアップ装置１００において、レンズマウント板７０をベースユニット１０に取り付ける際の取り付け方法について図６、図９〜図１２を用いて説明する。
まず、レンズマウント板７０の左右方向位置決めピン７２をベースユニット１０のレンズマウント板取付用フック１１に設けた切り欠き部１２に嵌合させ左右方向の位置決めを行い、レンズマウント板７０のレンズマウント板用フック７１（左右２箇所）をベースユニット１０のレンズマウント板取付用フック１１に係合させる。
次に、ベースユニット１０の両サイドに設けたパチン錠本体１４のアーム（図示せず）をレンズマウント板７０の下部両サイドに設けた２箇所のパチン錠キーパ４４にそれぞれ係合させて、パチン錠本体１４のレバー（図示せず）を倒すことによってレンズマウント板７０がベースユニット１０に固定される。
【００２０】
次に、図１１に示すように、摘みネジ７３の先端部をレンズマウント板７０に設けた貫通穴に差し込み、図６に示すカメラ支持台２０の下部に設けられた固定ブロック２１の中央のネジ穴に螺着させることで、レンズマウント板７０を介してカメラ支持台２０がベースユニット１０に固定される。更に、別途固定手段によりカメラ支持台２０をベースユニット１０に固定することによって、ハンディカメラ２００をスタジオカメラとして局内で利用することができるようになる。
また、上記方法とは逆の手順によって、レンズマウント板７０をベースユニット１０から取り外すことができる。
【００２１】
従って、レンズマウント板を容易に着脱することができるので、それぞれのハンディカメラに対応したレンズマウント板に交換するだけでハンディカメラをスタジオカメラに簡単にビルドアップすることができる。
また、ハンディカメラの製造メーカ、或いはカメラの型式が変更になった場合でも、レンズマウント板を新たに製作するだけで、ハンディカメラをスタジオカメラに簡単にビルドアップすることができる。
【図面の簡単な説明】
【００２２】
【図１】本発明の第１の実施形態に係る放送用カメラのビルドアップ装置１を含むビルドアップシステムの斜め前方からの斜視図である。
【図２】図１の放送用カメラのビルドアップシステムの斜め後方からの斜視図である。
【図３】本発明の第１の実施形態に係る放送用カメラのビルドアップシステムにおいて、ビルドアップ装置１にポータブルカメラ本体２とＴＶカメラ用ビューファインダ４とＴＶカメラ用操作パネル５とを装着した状態での斜め前方からの斜視図である。
【図４】図３の側面図である。
【図５】図４において、レンズマウント板４０をベースユニット１０に、また、大型レンズ３をレンズマウント板４０に装着した際のそれぞれの嵌合状態を説明するための嵌合箇所の断面図を示す。
【図６】図３のビルドアップ装置１において、ベースユニット１０にレンズマウント板４０を装着する前の状態を示す斜視図である。
【図７】本発明の第１の実施形態に係る放送用カメラのビルドアップ装置１におけるレンズマウント板４０のベースユニット１０との装着面の詳細を示す斜視図である。
【図８】本発明の第１の実施形態に係る放送用カメラのビルドアップ装置１におけるレンズマウント板４０のレンズ装着面の詳細を示す斜視図である。
【図９】本発明の第２の実施形態に係る放送用カメラのビルドアップ装置１００を含むビルドアップシステムの斜め前方から見た斜視図である。
【図１０】図９の側面図である。
【図１１】図１０のビルドアップ装置１００において、レンズマウント板７０をベースユニット１０に装着した際の嵌合状態を説明するための嵌合箇所の断面図を示す。
【図１２】本発明の第２の実施形態に係る放送用カメラのビルドアップ装置１００におけるレンズマウント板７０のベースユニット１０との装着面の詳細を示す斜視図である。
【符号の説明】
【００２３】
１：ビルドアップ装置、２：ポータブルカメラ本体、３：大型レンズ、４：ＴＶカメラ用ビューファインダ、５：ＴＶカメラ用操作パネル、１０：ベースユニット、１１：レンズマウント板取付用フック、１２：切り欠き部、１３：コネクタ、１４：パチン錠本体、１５：上下位置決めブロック、２０：カメラ支持台、２１：固定ブロック、３１：フック、
３５：下側凸部、４０：レンズマウント板、４１：レンズマウント板用フック、４２：左右方向位置決めピン、４３：コネクタ、４４：パチン錠キーパ、４５：下側凸部、４６：レンズ取付用フック、４７：切り欠き部、４８：位置決めブロック、４９：摘みネジ、７０：レンズマウント板、７１：レンズマウント板用ツメ、７２：左右方向位置決めピン、７３：摘みネジ、７４：パチン錠キーパ、１００：ビルドアップ装置、２００：ハンディカメラ。
【図１】
2008261934.tif 000003
【図２】
2008261934.tif 000004
【図３】
2008261934.tif 000005
【図４】
2008261934.tif 000006
【図５】
2008261934.tif 000007
【図６】
2008261934.tif 000008
【図７】
2008261934.tif 000009
【図８】
2008261934.tif 000010
【図９】
2008261934.tif 000011
【図１０】
2008261934.tif 000012
【図１１】
2008261934.tif 000013
【図１２】
2008261934.tif 000014